【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
基板上の第１の入出力ポートの入力ポートに設けられ、前記入力ポートから入力される光信号の光路を切り換え、複数の出力端のいずれかから前記光信号を出力する光スイッチと、
前記光スイッチの前記複数の出力端のうちの一の出力端に光学的に接続され、前記光スイッチの前記一の出力端から出力される光信号を電気信号に変換し、変換された前記電気信号を前記基板上に実装される半導体素子に入力する光／電気変換素子と、
前記光スイッチの前記複数の出力端のうちの他の出力端に光学的に接続され、前記光スイッチの前記他の出力端から出力される光信号を、前記基板上の第２の入出力ポートの出力ポートから出力する光導波路と
を有することを特徴とする光電子集積回路装置。
【請求項２】
請求項１記載の光電子集積回路装置において、
前記半導体素子から出力される電気信号を光信号に変換し、変換された前記光信号を前記第２の入出力ポートの前記出力ポートから出力する電気／光変換素子を更に有する
ことを特徴とする光電子集積回路装置。
【請求項３】
請求項２記載の光電子集積回路装置において、
前記第１の入出力ポートの前記入力ポートから入力される光信号が前記光／電気変換素子により電気信号に変換され、変換された前記電気信号が前記半導体素子を介して前記電気／光変換素子に入力され、前記電気信号が前記電気／光変換素子により光信号に変換され、変換された前記光信号が前第２の入出力ポートの前記出力ポートから出力される
ことを特徴とする光電子集積回路装置。
【請求項４】
請求項１乃至３記載の光電子集積回路装置において、
前記光信号の前記光路を切り換えるように前記光スイッチを制御する制御部を更に有する
ことを特徴とする光電子集積回路装置。
【請求項５】
請求項４記載の光電子集積回路装置において、
前記制御部は、前記第１の入出力ポートの前記入力ポートへの光信号の入力を許可するか否かを判断し、前記光信号の入力を許可するか否かを示す電気信号を前記第１の入出力ポートから出力する
ことを特徴とする光電子集積回路装置。
【請求項６】
請求項４記載の光電子集積回路装置において、
前記制御部は、前記第１の入出力ポートの前記入力ポートに入力される光信号の優先度に基づいて、前記光信号の前記光路を切り換える
ことを特徴とする光電子集積回路装置。
【請求項７】
基板上の第１の入出力ポートの入力ポートに設けられ、前記入力ポートから入力される光信号の光路を切り換え、複数の出力端のいずれかから前記光信号を出力する光スイッチと；前記光スイッチの前記複数の出力端のうちの一の出力端に光学的に接続され、前記光スイッチの前記一の出力端から出力される光信号を電気信号に変換し、変換された前記電気信号を前記基板上に実装される半導体素子に入力する光／電気変換素子と；前記光スイッチの前記複数の出力端のうちの他の出力端に光学的に接続され、前記光スイッチの前記他の出力端から出力される光信号を、前記基板上の第２の入出力ポートの出力ポートから出力する光導波路と；前記半導体素子から出力される電気信号を光信号に変換し、変換された前記光信号を前記第２の入出力ポートの前記出力ポートから出力する電気／光変換素子と；前記第１の入出力ポートの前記入力ポートへの光信号の入力を許可するか否かを判断し、前記光信号の入力を許可するか否かを示す電気信号を前記第１の入出力ポートから出力し、前記光信号の前記光路を切り換えるように前記光スイッチを制御する制御部とを有する複数の光電子集積回路装置がマトリクス状に配列されており、
前記複数の前記光電子集積回路装置のうちの一の光電子集積回路装置の前記出力ポートと前記複数の光電子集積回路装置のうちの他の光電子集積回路装置の前記入力ポートとが光導波路により光学的に接続されており、
前記一の光電子集積回路装置の前記制御部と前記他の光電子集積回路装置の前記制御部とが電気配線により電気的に接続されている
ことを特徴とする光電子集積回路システム。
【請求項８】
基板上の第１の入出力ポートの入力ポートに設けられ、前記入力ポートから入力される光信号の光路を切り換え、複数の出力端のいずれかから前記光信号を出力する光スイッチと；前記光スイッチの前記複数の出力端のうちの一の出力端に光学的に接続され、前記光スイッチの前記一の出力端から出力される光信号を電気信号に変換し、変換された前記電気信号を前記基板上に実装される半導体素子に入力する光／電気変換素子と；前記光スイッチの前記複数の出力端のうちの他の出力端に光学的に接続され、前記光スイッチの前記他の出力端から出力される光信号を、前記基板上の第２の入出力ポートの出力ポートから出力する光導波路と；前記半導体素子から出力される電気信号を光信号に変換し、変換された前記光信号を前記第２の入出力ポートの前記出力ポートから出力する電気／光変換素子と；前記第１の入出力ポートの前記入力ポートへの光信号の入力を許可するか否かを判断し、前記光信号の入力を許可するか否かを示す電気信号を前記第１の入出力ポートから出力し、前記光信号の前記光路を切り換えるように前記光スイッチを制御する制御部とを有する複数の光電子集積回路装置がマトリクス状に配列されており、前記複数の前記光電子集積回路装置のうちの第１の前記光電子集積回路装置の前記出力ポートと前記複数の光電子集積回路装置のうちの第２の前記光電子集積回路装置の前記入力ポートとが光導波路により光学的に接続されており、前記第２の光電子集積回路装置の前記出力ポートと前記複数の光電子集積回路装置のうちの第３の前記光電子集積回路装置の前記入力ポートとが光導波路により光学的に接続されており、前記第１の光電子集積回路装置の前記制御部と前記第２の光電子集積回路装置の前記制御部とが電気配線により電気的に接続されており、前記第２の光電子集積回路装置の前記制御部と前記第３の光電子集積回路装置の前記制御部とが電気配線により電気的に接続されている光電子集積回路システムを用いた伝送方法であって、
前記第１の光電子集積回路装置が前記第２の光電子集積回路装置に対して、前記第２の光電子集積回路装置の前記入力ポートへの光信号の入力の許可を要求する第１のステップと、
前記第２の光電子集積回路装置が前記第３の光電子集積回路装置に対して、前記第３の光電子集積回路装置の前記入力ポートへの光信号の入力の許可を要求する第２のステップと、
光信号の入力を許可することを示す電気信号を前記第３の光電子集積回路装置の前記制御部が前記第２の光電子集積回路装置の前記制御部に対して出力する第３のステップと、
前記第２の光電子集積回路装置の前記制御部が、前記入力ポートに入力される光信号が前記出力ポートから出力されるように前記光スイッチを制御するとともに、前記入力ポートへの光信号の入力を許可することを示す電気信号を前記第１の光電子集積回路装置の前記制御部に対して出力する第４のステップと、
前記第１の光電子集積回路装置の前記出力ポートから出力される前記光信号が、前記第２の光電子集積回路装置の前記入力ポートと前記出力ポートとを経由して、前記第３の光電子集積回路装置の前記入力ポートに入力される第５のステップと
を有することを特徴とする伝送方法。
【請求項９】
請求項８記載の伝送方法において、
前記第５のステップにおいて前記第１の光電子集積回路装置から出力される前記光信号には、前記光信号の末尾を示すデータが含まれており、
前記第３の光電子集積回路装置が前記末尾を示すデータを受信した後に、前記第３の光電子集積回路装置の制御部が、前記光信号の伝送が完了したことを示す電気信号を、前記第２の光電子集積回路装置の前記制御部に対して出力する第６のステップと、
前記第２の光電子集積回路装置の前記制御部が、前記光信号の伝送が完了したことを示す電気信号を前記第１の光電子集積回路装置の前記制御部に対して出力する第７のステップと
を有することを特徴とする伝送方法。
【請求項１０】
基板上の第１の入出力ポートの入力ポートに設けられ、前記入力ポートから入力される光信号の光路を切り換え、複数の出力端のいずれかから前記光信号を出力する光スイッチと；前記光スイッチの前記複数の出力端のうちの一の出力端に光学的に接続され、前記光スイッチの前記一の出力端から出力される光信号を電気信号に変換し、変換された前記電気信号を前記基板上に実装される半導体素子に入力する光／電気変換素子と；前記光スイッチの前記複数の出力端のうちの他の出力端に光学的に接続され、前記光スイッチの前記他の出力端から出力される光信号を、前記基板上の第２の入出力ポートの出力ポートから出力する光導波路と；前記半導体素子から出力される電気信号を光信号に変換し、変換された前記光信号を前記第２の入出力ポートの前記出力ポートから出力する電気／光変換素子と；前記光信号の前記光路を切り換えるように前記光スイッチを制御する制御部とを有する複数の光電子集積回路装置がマトリクス状に配列されており、前記複数の前記光電子集積回路装置のうちの一の前記光電子集積回路装置の前記出力ポートと前記複数の光電子集積回路装置のうちの他の前記光電子集積回路装置の前記入力ポートとが光導波路により光学的に接続されている光電子集積回路システムを用いた伝送方法であって、
前記制御部は、前記入力ポートに入力される光信号の優先度に基づいて、前記光信号の前記光路を切り換える
ことを特徴とする伝送方法。
【手続補正２】
【補正対象書類名】明細書
【補正対象項目名】０００８
【補正方法】変更
【補正の内容】
【０００８】
また、上記目的は、基板上の第１の入出力ポートの入力ポートに設けられ、前記入力ポートから入力される光信号の光路を切り換え、複数の出力端のいずれかから前記光信号を出力する光スイッチと；前記光スイッチの前記複数の出力端のうちの一の出力端に光学的に接続され、前記光スイッチの前記一の出力端から出力される光信号を電気信号に変換し、変換された前記電気信号を前記基板上に実装される半導体素子に入力する光／電気変換素子と；前記光スイッチの前記複数の出力端のうちの他の出力端に光学的に接続され、前記光スイッチの前記他の出力端から出力される光信号を、前記基板上の第２の入出力ポートの出力ポートから出力する光導波路と；前記半導体素子から出力される電気信号を光信号に変換し、変換された前記光信号を前記第２の入出力ポートの前記出力ポートから出力する電気／光変換素子と；前記第１の入出力ポートの前記入力ポートへの光信号の入力を許可するか否かを判断し、前記光信号の入力を許可するか否かを示す電気信号を前記第１の入出力ポートから出力し、前記光信号の前記光路を切り換えるように前記光スイッチを制御する制御部とを有する複数の光電子集積回路装置がマトリクス状に配列されており、前記複数の前記光電子集積回路装置のうちの第１の前記光電子集積回路装置の前記出力ポートと前記複数の光電子集積回路装置のうちの第２の前記光電子集積回路装置の前記入力ポートとが光導波路により光学的に接続されており、前記第２の光電子集積回路装置の前記出力ポートと前記複数の光電子集積回路装置のうちの第３の前記光電子集積回路装置の前記入力ポートとが光導波路により光学的に接続されており、前記第１の光電子集積回路装置の前記制御部と前記第２の光電子集積回路装置の前記制御部とが電気配線により電気的に接続されており、前記第２の光電子集積回路装置の前記制御部と前記第３の光電子集積回路装置の前記制御部とが電気配線により電気的に接続されている光電子集積回路システムを用いた伝送方法であって、前記第１の光電子集積回路装置が前記第２の光電子集積回路装置に対して、前記第２の光電子集積回路装置の前記入力ポートへの光信号の入力の許可を要求する第１のステップと、前記第２の光電子集積回路装置が前記第３の光電子集積回路装置に対して、前記第３の光電子集積回路装置の前記入力ポートへの光信号の入力の許可を要求する第２のステップと、光信号の入力を許可することを示す電気信号を前記第３の光電子集積回路装置の前記制御部が前記第２の光電子集積回路装置の前記制御部に対して出力する第３のステップと、前記第２の光電子集積回路装置の前記制御部が、前記入力ポートに入力される光信号が前記出力ポートから出力されるように前記光スイッチを制御するとともに、前記入力ポートへの光信号の入力を許可することを示す電気信号を前記第１の光電子集積回路装置の前記制御部に対して出力する第４のステップと、前記第１の光電子集積回路装置の前記出力ポートから出力される前記光信号が、前記第２の光電子集積回路装置の前記入力ポートと前記出力ポートとを経由して、前記第３の光電子集積回路装置の前記入力ポートに入力される第５のステップとを有することを特徴とする伝送方法により達成される。
【手続補正３】
【補正対象書類名】明細書
【補正対象項目名】０００９
【補正方法】変更
【補正の内容】
【０００９】
また、上記目的は、基板上の第１の入出力ポートの入力ポートに設けられ、前記入力ポートから入力される光信号の光路を切り換え、複数の出力端のいずれかから前記光信号を出力する光スイッチと；前記光スイッチの前記複数の出力端のうちの一の出力端に光学的に接続され、前記光スイッチの前記一の出力端から出力される光信号を電気信号に変換し、変換された前記電気信号を前記基板上に実装される半導体素子に入力する光／電気変換素子と；前記光スイッチの前記複数の出力端のうちの他の出力端に光学的に接続され、前記光スイッチの前記他の出力端から出力される光信号を、前記基板上の第２の入出力ポートの出力ポートから出力する光導波路と；前記半導体素子から出力される電気信号を光信号に変換し、変換された前記光信号を前記第２の入出力ポートの前記出力ポートから出力する電気／光変換素子と；前記光信号の前記光路を切り換えるように前記光スイッチを制御する制御部とを有する複数の光電子集積回路装置がマトリクス状に配列されており、前記複数の前記光電子集積回路装置のうちの一の前記光電子集積回路装置の前記出力ポートと前記複数の光電子集積回路装置のうちの他の前記光電子集積回路装置の前記入力ポートとが光導波路により光学的に接続されている光電子集積回路システムを用いた伝送方法であって、前記制御部は、前記入力ポートに入力される光信号の優先度に基づいて、前記光信号の前記光路を切り換えることを特徴とする伝送方法により達成される。
【手続補正４】
【補正対象書類名】明細書
【補正対象項目名】００１０
【補正方法】変更
【補正の内容】
【００１０】
本発明によれば、入力された光信号が当該光電子集積回路装置により処理すべき光信号である場合には、入力された光信号を電気信号に変換して半導体チップ等に入力することができ、入力された光信号が他の光電子集積回路装置により処理されるべき光信号である場合には、光スイッチを切り換えることにより、入力された光信号をそのまま他の光電子集積回路装置に伝送することができる。このため、本発明によれば、多数の光導波路、電気／光変換素子、光／電気変換素子を設けることなく、小型の光電子集積回路システムを構築することが可能となる。しかも、他の光電子集積回路装置により処理されるべき光信号である場合には、光電子集積回路装置により光信号から電気信号への変換や電気信号から光信号への変換が行われないため、伝送速度が遅くなるのを防止することができる。従って、本発明によれば、多数の光電子集積回路装置の間でそれぞれ光信号を伝送する場合であっても、信号の遅延を防止しつつ、小型の光電子集積回路システムを提供することができる。
【手続補正５】
【補正対象書類名】明細書
【補正対象項目名】００１６
【補正方法】変更
【補正の内容】
【００１６】
各々の光導波路１４には、光信号入力部１６ａ〜１６ｄが接続されている。光信号入力部１６ａ〜１６ｄは、複数の光スイッチ１８ａ〜１８ｃを組み合わせることにより構成されている。各々の光スイッチ１８は、１つの入力端子から入力される光信号を２つの出力端子のいずれかから出力するものである。光入力部１６ａ〜１６ｄは、光スイッチ１８を２段にカスケード接続することにより構成されている。１段目の光スイッチ１８ａの出力端子と２段目の光スイッチ１８ｂ、１８ｃの入力端子とは、光導波路２０により光学的に接続されている。１段目の光スイッチ１８ａの入力端子に入力される光信号は、１段目の光スイッチ１８ａの２つの出力端子のいずれかから出力され、２つ設けられた２段目の光スイッチ１８ｂ、１８ｃのうちのいずれかの入力端子に入力される。２段目の光スイッチ１８ｂ、１８ｃの入力端子に入力される光信号は、２段目の光スイッチ１８ｂ、１８ｃの２つの出力端子のいずれかから出力される。２段目の光スイッチ１８ｂ、１８ｃは２つ設けられているため、２段目のスイッチ１８ｂ、１８ｃの出力端子の数は合計で４つである。従って、光信号入力部１６ａの１つの入力端子（入力端）２２に入力される光信号は、光信号入力部の４つの出力端子（出力端）２４ａ〜２４ｄのいずれかから出力される。
【手続補正６】
【補正対象書類名】明細書
【補正対象項目名】００２９
【補正方法】変更
【補正の内容】
【００２９】
また、第３の入出力ポート３６ｃの光信号入力部１６ｃの出力端子２４ｄは、光導波路５０を介して、第４の入出力ポート３６ｄの光信号出力部３８ｄの入力端子４４ｄに光学的に接続されている。このため、第３の入出力ポート３６ｃの光信号入力部１６ｃの出力端子２４ｄから出力される光信号は、光導波路５０を介して、第４の入出力ポート３６ｄの光信号出力部３８ｄの入力端子４４ｄに入力される。
【手続補正７】
【補正対象書類名】明細書
【補正対象項目名】００４１
【補正方法】変更
【補正の内容】
【００４１】
制御部５２は、光信号の入力を許可するか否かを、例えば、光信号入力部１６ａ〜１６ｄの光スイッチ１８ａ〜１８ｃの状態、光信号出力部３８ａ〜３８ｄの光スイッチ４０ａ〜４０ｃの状態、電気／光変換素子４６ａ〜４６ｄの動作状態等に基づいて判断する。
【手続補正８】
【補正対象書類名】明細書
【補正対象項目名】００６０
【補正方法】変更
【補正の内容】
【００６０】
まず、光電子集積回路装置１００ａから光電子集積回路装置１００ｇに対してデータ伝送を行う場合を例に説明する。
【手続補正９】
【補正対象書類名】明細書
【補正対象項目名】００７２
【補正方法】変更
【補正の内容】
【００７２】
光電子集積回路装置１００ｃには、光信号の伝送が完了したことを示す電気信号が電気信号入力部５６ｂを介して入力される。光電子集積回路装置１００ｃは、光信号の伝送が完了したことを光電子集積回路装置１００ｂに伝達すべく、光信号の伝送が完了したことを示す電気信号を電気信号出力部５４ａを介して光電子集積回路装置１００ｂに出力する。また、光電子集積回路装置１００ｃの制御部５２は、光信号入力部１６ａ〜１６ｄに設けられている光スイッチ１８ａ〜１８ｄ及び光信号出力部３８ａ〜３８ｄに設けられている光スイッチ４０ａ〜４０ｄの設定をリセット状態にする。
【手続補正１０】
【補正対象書類名】明細書
【補正対象項目名】００７３
【補正方法】変更
【補正の内容】
【００７３】
光電子集積回路装置１００ｂには、光信号の伝送が完了したことを示す電気信号が電気信号入力部５６ｃを介して入力される。光電子集積回路装置１００ｂは、光信号の伝送が完了したことを光電子集積回路装置１００ａに伝達すべく、光信号の伝送が完了したことを示す電気信号を電気信号出力部５４ａを介して光電子集積回路装置１００ａに出力する。また、光電子集積回路装置１００ｂの制御部５２は、光信号入力部１６ａ〜１６ｄに設けられている光スイッチ１８ａ〜１８ｃ及び光信号出力部３８ａ〜３８ｄに設けられている光スイッチ４０ａ〜４０ｃの設定をリセット状態にする。
【手続補正１１】
【補正対象書類名】明細書
【補正対象項目名】００７４
【補正方法】変更
【補正の内容】
【００７４】
光電子集積回路装置１００ａには、光信号の伝送が完了したことを示す電気信号が電気信号入力部５６ｃを介して入力される。光電子集積回路装置１００ａの制御部５２は、光信号入力部１６ａ〜１６ｄに設けられている光スイッチ１８ａ〜１８ｃ及び光信号出力部３８ａ〜３８ｄに設けられている光スイッチ４０ａ〜４０ｃの設定をリセット状態にする。
【手続補正１２】
【補正対象書類名】明細書
【補正対象項目名】００８５
【補正方法】変更
【補正の内容】
【００８５】
光信号には、データの末尾を示すデータが含まれている。光信号の末尾を示すデータを受信した光電子集積回路装置１００ｇは、光信号の伝送が完了したことを光電子集積回路装置１００ｆに伝達すべく、光信号の伝送が完了したことを示す電気信号を電気信号出力部５４ａを介して光電子集積回路装置１００ｆに出力する。また、光電子集積回路装置１００ｇの制御部５２は、光信号入力部１６ａ〜１６ｄに設けられている光スイッチ１８ａ〜１８ｃ及び光信号出力部３８ａ〜３８ｄに設けられている光スイッチ４０ａ〜４０ｃの設定をリセット状態にする。
【手続補正１３】
【補正対象書類名】明細書
【補正対象項目名】００８６
【補正方法】変更
【補正の内容】
【００８６】
光電子集積回路装置１００ｆには、光信号の伝送が完了したことを示す電気信号が電気信号入力部５６ｃを介して入力される。光電子集積回路装置１００ｆは、光信号の伝送が完了したことを光電子集積回路装置１００ｂに伝達すべく、光信号の伝送が完了したことを示す電気信号を電気信号出力部５４ｄを介して光電子集積回路装置１００ｂに出力する。また、光電子集積回路装置１００ｆの制御部５２は、光信号入力部１６ａ〜１６ｄに設けられている光スイッチ１８ａ〜１８ｃ及び光信号出力部３８ａ〜３８ｄに設けられている光スイッチ４０ａ〜４０ｃの設定をリセット状態にする。
【手続補正１４】
【補正対象書類名】明細書
【補正対象項目名】００８７
【補正方法】変更
【補正の内容】
【００８７】
光電子集積回路装置１００ｂには、光信号の伝送が完了したことを示す電気信号が電気信号入力部５４ｂを介して入力される。光電子集積回路装置１００ｂは、光信号の伝送が完了したことを光電子集積回路装置１００ａに伝達すべく、光信号の伝送が完了したことを示す電気信号を電気信号出力部５４ａを介して光電子集積回路装置１００ａに出力する。また、光電子集積回路装置１００ｂの制御部５２は、光信号入力部１６ａ〜１６ｄに設けられている光スイッチ１８ａ〜１８ｃ及び光信号出力部３８ａ〜３８ｄに設けられている光スイッチ４０ａ〜４０ｃの設定をリセット状態にする。
【手続補正１５】
【補正対象書類名】明細書
【補正対象項目名】００８８
【補正方法】変更
【補正の内容】
【００８８】
光電子集積回路装置１００ａには、光信号の伝送が完了したことを示す電気信号が電気信号入力部５４ｃを介して入力される。光電子集積回路装置１００ａの制御部５２は、光信号入力部１６ａ〜１６ｄに設けられている光スイッチ１８ａ〜１８ｃ及び光信号出力部３８ａ〜３８ｄに設けられている光スイッチ４０ａ〜４０ｃの設定をリセット状態にする。